(57)【要約】【課題】幼児や手の不自由な人が、スプーンやフォークを使用して食事をするに際し、手首部に巻き付けたストラップにスプーンやフォークを掛止しておくことにより、誤ってスプーンやフォークから手を離しても、床面等に落下することなく、直ちにスプーンやフォークを握り直して食事を再開することができるようにする。【解決手段】幼児または手の不自由な人の手首Ｗに巻き付ける帯片１の一端縁に、スプーン２またはフォーク３の基端部に開口された掛止孔４に貫挿して掛止できる掛止具５を連結固定する一方、前記帯片１の他端縁に手首Ｗに巻き付けた帯片１の長さを調節すると共に、手首Ｗに巻き付け固定する長さ調節具６を取付ける。【選択図】図２
2017018336.tif 000002
【特許請求の範囲】
【請求項１】
幼児または手の不自由な人の手首に巻き付ける帯片の一端縁に、スプーンまたはフォークの基端部に開口された掛止孔に貫挿して掛止できる掛止具を連結固定する一方、前記帯片の他端縁に手首に巻き付けた帯片の長さを調節すると共に、手首に巻き付け固定する長さ調節具を取付けて形成したことを特徴とする幼児または手の不自由な人が使用するスプーンおよびフォークの落下防止用ストラップ。
【発明の詳細な説明】
【技術分野】
【０００１】
本発明は、幼児や手の不自由な人が、スプーンやフォークを使用して食事をするに際し、手首部に巻き付けたストラップにスプーンやフォークを掛止しておくことにより、誤ってスプーンやフォークから手を離しても、ストラップに掛止されているので、床面等に落すことなく、衛生的で、幼児や手の不自由な人は直ちにスプーンやフォークを握り直して、食事を再開することができるスプーンおよびフォークの落下防止用ストラップに関するものである。
【背景技術】
【０００２】
従来、幼児や手の不自由な人がスプーンやフォークを使用して食事する場合、幼児や手の不自由な人のために握り易く作成されたスプーンやフォークを使用していた。しかしながら、手首に巻き付けたストラップにスプーンやフォークを掛止して、該スプーンやフォークを誤って落しても床面等に落下せず、直ちにスプーンやフォークを握りなおして食事を再開することができるようにするという発想はなく、過去の先行技術思想につき特許文献を遡及検索しても、単に下記特許文献に示すような「幼児用スプーン」が開示されているに過ぎない。
【先行技術文献】
【特許文献】
【０００３】
【特許文献１】特許第５６９００２２号公報
【発明の概要】
【発明が解決しようとする課題】
【０００４】
前記特許文献１記載の「幼児用スプーン」は、単に幼児がスプーンですくった食事をこぼさずに口に運べるようにすることを目的とするものであり、幼児が食事中に誤ってスプーンを落した場合、母親等により拾ってもらわない限り、食事を再開することができないという課題があった。なお、手の不自由な人の場合も、前記幼児と同様の課題があった。
【０００５】
本発明は、前記課題を解決すべくなされたものであって、幼児や手の不自由な人の手首に巻き付けたストラップにスプーンやフォークを掛止することにより、幼児や手の不自由な人が誤って手を離してスプーンやフォークを床面等に落すことがなく、衛生的で、直ちにスプーンやフォークを握りなおして食事を再開することができるスプーンおよびフォークの落下防止用ストラップを提供しようとするものである。
【課題を解決するための手段】
【０００６】
本発明は、幼児または手の不自由な人の手首に巻き付ける帯片の一端縁に、スプーンまたはフォークの基端部に開口された掛止孔に貫挿して掛止できる掛止具を連結固定する一方、前記帯片の他端縁に手首に巻き付けた帯片の長さを調節すると共に、手首に巻き付け固定する長さ調節具を取付けるという手段を採用することにより、上記課題を解決した。
【発明の効果】
【０００７】
前記構成より成る本発明によれば、幼児や手の不自由な人の手首に巻き付けた本発明ストラップにスプーンやフォークを掛止することにより、幼児や手の不自由な人が誤って手を離してスプーンやフォークを床面等に落すことがなく、衛生的で、直ちにスプーンやフォークを握りなおして食事を再開することができるという優れた効果を奏することができる。
【図面の簡単な説明】
【０００８】
【図１】本発明幼児または手の不自由な人が使用スプーンおよびフォークの落下防止用ストラップの第１の実施例を示す斜視図である。
【図２】本発明幼児または手の不自由な人が使用スプーンおよびフォークの落下防止用ストラップの第１の実施例の使用状態を示す斜視図である。
【図３】本発明幼児または手の不自由な人が使用スプーンおよびフォークの落下防止用ストラップの第２の実施例を示す斜視図である。
【図４】本発明幼児または手の不自由な人が使用スプーンおよびフォークの落下防止用ストラップの第２の実施例の使用状態を示す斜視図である。
【実施例】
【０００９】
本発明の実施例を図面に基づいて詳細に説明する。図１は、本発明スプーンおよびフォークの落下防止用ストラップの第１の実施例を示す斜視図、図２は同使用状態を示す斜視図であり、幼児または手の不自由な人の手首Ｗに巻き付ける、布や合成繊維で形成された帯片１の一端縁に、スプーン２またはフォーク３（図１・図２には、スプーンが図示されている）の基端部に開口された掛止孔４に貫挿して掛止できる掛止具５を連結固定する一方、前記帯片１の他端縁に手首Ｗに巻き付けた該帯片１の長さを調節すると共に、手首Ｗに巻き付け固定する機能を備えた長さ調節具６を取付けて形成されている。
【００１０】
前記掛止具５は、スプーン２またはフォーク３の掛止孔４に貫挿して掛止することのできる構造であればよく、その構造は特に限定する必要はないが、好ましくは、図１に示すような構造とすることが推奨される。すなわち、図１に示すように、針金または硬質プラスチックにより楕円形枠状に形成された枠環７の一辺に切断部８を設けて、一方を内方へ押圧移動可能な押圧片９とすると共に、前記切断部８の他方を前記押圧片９に圧接する圧接片１０を設けて形成されている。
【００１１】
前記好ましい例として示す掛止具５の押圧片９を内方へ押圧して、該押圧片９と圧接片１０間に隙間１１（想像線で示している）を開けて、該隙間１１にスプーン２またはフォーク３の掛止孔４を位置せしめて、押圧片９の押圧状態を解除すると、該押圧片９は復帰して、前記圧接片１０に圧接して隙間１１がなくなり、前記掛止具５にスプーン２またはフォーク３の掛止孔４が掛止され、該スプーン２またはフォーク３は掛止具５から離脱することはない。
【００１２】
また、前記長さ調節具６は、手首Ｗに巻き付けた帯片１の長さを調節して、手首Ｗに合う径のループ部１２を形成できるよう、該帯片１の任意個所に止着できる構造であればよく、その構造は特に限定する必要はないが、好ましくは図１に示すような構造とすることが推奨される。すなわち、図１に示すように、長さ調節具６は金属または硬質合成樹脂により形成されており、細巾状の固定片１３の基端部に前記帯片１に連結固定する固定用リング部１４が形成されると共に、該固定片１３の基部側にヒンジ部１５を立設し、更に該ヒンジ部１５に挟持片１６の基部を回動自在に軸支すると共に、前記ヒンジ部１５に前記挟持片１６を上方より押圧して圧接固定するレバー１７が回動自在に、且つ挟持片１６上に圧接固定できるよう軸支して形成されている。なお、図中１８・１９は固定片１３および挟持片１６に対向して固着されたクッション材であり、該固定片１３と挟持片１６で前記帯片１を挟持したとき、該帯片１を傷付けることなく、また強固に固定できるのである。
【００１３】
なお、前記帯片１を手首Ｗに巻き付けて、ループ部１２の径を調節して、長さ調節具６を該帯片１に止着して、適宜の径のループ部１２を形成する場合、図２に示すように、固定片１３と挟持片１６のクッション材１８・１９間に前記帯片１の所定部分を位置せしめ、然る後レバー１７をヒンジ部１５を支点として挟持片１６側へ回動して、該レバー１７を挟持片１６上に圧接固定することにより、前記長さ調節具６は帯片１に止着され、所望の径のループ部１２が形成される。そして、前記長さ調節具６を帯片１から取外す場合、レバー１７をヒンジ部１５を支点として引き上げ、固定片１３と挟持片１６のクッション材１８・１９の帯片１への圧着状態を解除すればよい。
【００１４】
前記のような操作により、本発明ストラップを幼児または手の不自由な人の手首Ｗに巻き付けて、図２に示すようにして、スプーン２またはフォーク３を握って食事をすることができる。そして、幼児または手の不自由な人が誤ってスプーン２またはフォーク３を手から離しても、該スプーン２またはフォーク３は床面等に落下することなく、衛生的で、直ちに握りなおして食事を再開することができる。
【００１５】
更に、図３は、本発明のスプーンおよびフォークの落下防止用ストラップの第２の実施例を示す斜視図、図４は同使用状態を示す斜視図（図３・図４には、フォークが図示されている）であり、第１の実施例とはループ部１２を形成する長さ調節具６の構成が異なるだけで、掛止具５は全く同一であるので、共通する部分の説明は省略し、構成が異なる部分についてのみ説明する。第２の実施例におけるループ部１２の形成する長さ調節具６として、面ファスナー雄片と雌片を使用している。すなわち、図３に示すように、人の手首Ｗに巻き付ける布や合成繊維で形成された帯片１の他端縁に面ファスナー雄片２１を連結固定すると共に、前記帯片１の他端部側に前記面ファスナー雄片２１に接着する面ファスナー雌片２２を固着して形成されている。この場合、面ファスナー雌片２２は長目のものを使用し、ループ部１２の形成のときに、面ファスナー雄片２１を任意の場所に接着固定できるようにする。なお、前記帯片１の他端縁に連結固定した面ファスナー雄片２１の代りに面ファスナー雌片を使用すると共に、前記帯片１の他端部側に固着された面ファスナー雌片２２の代りに面ファスナー雄片を使用することもできる。
【００１６】
そして、前記第２実施例において、前記帯片１を手首Ｗに巻き付けて、ループ部１２の径を調節して、長さ調節具６を該帯片１に止着して、適宜の径のループ部１２を形成する場合、図４に示すように、帯片１の他端縁部に固着された面ファスナー雄片２１を前記帯片１に固着された面ファスナー雌片２２の適位置に圧接固定することにより、前記長さ調節具６は帯片１に止着され、所望のループ部１２が形成される。なお、前記長さ調節具６を帯片１から取外す場合、面ファスナー雄片２１を面ファスナー雌片２２から引き剥がせばよい。
【符号の説明】
【００１７】
Ｗ  手首
１  帯片
２  スプーン
３  フォーク
４  掛止孔
５  掛止具
６  長さ調節具
【図１】
2017018336.tif 000003
【図２】
2017018336.tif 000004
【図３】
2017018336.tif 000005
【図４】
2017018336.tif 000006